(57)【要約】【課題】ユーザーの誤操作を防止できる化粧台用表示装置及び化粧台を提供すること。【解決手段】化粧台用表示装置１は、カメラ５と、カメラ５による撮像結果に基づいた撮像情報を表示する表示部３２と、ユーザーによる第１入力動作と第２入力動作とを検知した場合、カメラ５及び表示部３２の少なくとも何れかを起動する起動部７１と、を備える。第１入力動作及び第２入力動作は、ノックでもよい。第１入力動作が、スイッチ８を押す動作であり、第２入力動作が、スイッチ８を押した状態を所定時間保持する動作でもよい。【選択図】図５
2020154026.tif 000002
【特許請求の範囲】
【請求項１】
カメラと、
前記カメラによる撮像結果に基づいた撮像情報を表示する表示部と、
ユーザーによる第１入力動作と第２入力動作とを検知した場合、前記カメラ及び前記表示部の少なくとも何れかを起動する起動部と、を備える化粧台用表示装置。
【請求項２】
前記第１入力動作は、前記化粧台用表示装置を少なくとも１回、叩く動作であり、
前記第２入力動作は、前記第１入力動作後、所定時間以内に前記化粧台用表示装置を少なくとも１回、叩く動作である請求項１に記載の化粧台用表示装置。
【請求項３】
前記第１入力動作は、スイッチを押す動作であり、
前記第２入力動作は、前記スイッチを押した状態を所定時間保持する動作である請求項１に記載の化粧台用表示装置。
【請求項４】
ミラー部を備え、
前記ミラー部及び前記表示部は、ディスプレイモニタ機能付ミラーの構成の少なくとも一部であり、
前記表示部は、前記ミラー部の少なくとも一部の領域に前記撮像情報を表示する請求項１〜３のいずれかに記載の化粧台用表示装置。
【請求項５】
請求項１〜４のいずれかに記載の化粧台用表示装置を備える化粧台。
【発明の詳細な説明】
【技術分野】
【０００１】
本発明は、化粧台用表示装置及び化粧台に関する。
【背景技術】
【０００２】
従来、ミラーと、ミラーの脇に配置されるカメラと、ミラーの脇に配置される表示部と、を備える化粧台が知られている（例えば、特許文献１参照）。
【先行技術文献】
【特許文献】
【０００３】
【特許文献１】特開２００９−１２５１１４号公報
【発明の概要】
【発明が解決しようとする課題】
【０００４】
化粧台において、ユーザーの誤操作によって、カメラや表示部が、意図せずに起動することがある。
【０００５】
本発明は、ユーザーの誤操作を防止できる化粧台用表示装置及び化粧台を提供することを目的とする。
【課題を解決するための手段】
【０００６】
本発明は、カメラ（例えば、後述のカメラ５）と、前記カメラによる撮像結果に基づいた撮像情報を表示する表示部（例えば、後述の表示部３２）と、ユーザーによる第１入力動作と第２入力動作とを検知した場合、前記カメラ及び前記表示部の少なくとも何れかを起動する起動部（例えば、後述の起動部７１）と、を備える化粧台用表示装置（例えば、後述の洗面化粧台１）に関する。
【図面の簡単な説明】
【０００７】
【図１】本発明の第１実施形態の洗面化粧台を示す正面図である。
【図２】第１実施形態の洗面化粧台を示す側面図である。
【図３】第１実施形態の化粧台本体を示す斜視図である。
【図４】第１実施形態のディスプレイモニタ機能付ミラーの背面に取り付けられた振動検知センサを示す図である。
【図５】第１実施形態の洗面化粧台の機能ブロック図である。
【図６】第２実施形態の化粧台本体を示す斜視図である。
【発明を実施するための形態】
【０００８】
本実施形態においては、化粧台用表示装置を洗面化粧台１に適用した例について説明する。なお、化粧台用表示装置を、洗面設備を設けない化粧台に適用してもよい。
【０００９】
第１実施形態の洗面化粧台１は、図１及び図２に示すように、化粧台本体２と、洗面カウンター１１と、下部キャビネット１２と、を有する。洗面カウンター１１は、上部が開口して水を受ける凹部を有する洗面ボウル１１１と、洗面ボウル１１１が配置されるカウンター部１１２と、水栓１１３とを有する。下部キャビネット１２は、洗面カウンター１１の下部に配置される。下部キャビネット１２は、水栓１１３から延びる配管などを収納する。
【００１０】
化粧台本体２は、図２に示すように、洗面化粧台１の洗面ボウル１１１の奥側で洗面ボウル１１１よりも上方側に配置される。化粧台本体２は、図３〜図５に示すように、ディスプレイモニタ機能付ミラー３と、枠状筐体４と、カメラ５と、振動検知センサ６と、制御部７（図５参照）と、を有する。
【００１１】
ディスプレイモニタ機能付ミラー３は、図１及び図２に示すように、正面視で四角形状に形成され、奥行方向に厚みを有して形成される。ディスプレイモニタ機能付ミラー３は、ミラー部３１と、表示部３２と、支持板３３と、を有する。
【００１２】
ミラー部３１は、図２に示すように、化粧台本体２の前面に配置され、化粧台本体２における前面を構成する。ミラー部３１は、背面３１ａ側において、支持板３３に支持される。ミラー部３１の上部には、ミラー部側カメラ用貫通開口３１１が形成される。ミラー部３１を支持する支持板３３は、枠状筐体４に取り付けられる。枠状筐体４は、住宅の壁面１００から立ち上がる壁材により、四角形状に枠組みされて形成され、住宅の壁面１００に固定されている。
【００１３】
表示部３２は、カメラ５による撮像結果に基づいた撮像情報を表示する。表示部３２は、図２に示すように、ミラー部３１の背面３１ａ側において、支持板３３の表示部用貫通開口３３１に配置される。表示部３２は、ミラー部３１の少なくとも一部の所定領域において、カメラ５の撮像情報を表示するように構成される。表示部３２が起動していない場合には、ミラー部３１は、鏡として機能する。
【００１４】
表示部３２は、カメラ５の撮像結果に基づく撮像情報として、例えば、ユーザーの顔の撮像画像をそのまま表示したり、数秒前のユーザーの顔の撮像画像を表示したり、ユーザーの顔の撮像画像に化粧などの加工を施したものを表示したりすることができる。この他、撮像されたユーザーを特定し、特定されたユーザーに応じて、インターネット回線を通じて送信された画像情報を撮像情報として表示してもよい。例えば、予め第１ユーザーおよび第２ユーザーが登録されており、第１ユーザーに対しては天気に関する情報を表示するようにしてもよいし、第２ユーザーにはニュースを表示するようにしてもよい。このような表示についても、撮像結果に基づきユーザーを識別して表示を決定している点において、カメラ５の撮像結果に基づく撮像情報の表示に含まれる。
【００１５】
カメラ５は、ミラー部３１の上方側において、ディスプレイモニタ機能付ミラー３の内部側に配置される。カメラ５の前面側には、ミラー部側カメラ用貫通開口３１１及び支持板３３の支持板側カメラ用貫通開口３３２が配置される。カメラ５は、後述する起動部７１により起動されることで、ミラー部３１のミラー部側カメラ用貫通開口３１１及び支持板３３の支持板側カメラ用貫通開口３３２を介して、ミラー部３１の前に立ったユーザーの顔などを撮像する。
【００１６】
振動検知センサ６は、図４に示すように、ディスプレイモニタ機能付ミラー３の背面に取り付けられる。振動検知センサ６は、ミラー部３１に加えられた振動を検知する。振動検知センサ６により検知された振動検知信号は、制御部７に送信される。なお、本実施形態においては、振動検知センサ６を、ミラー部３１に加えられた振動を検知するように構成したが、これに限定されない。例えば、振動検知センサ６を、洗面カウンター１１に取り付けることで、洗面カウンター１１に加えられた振動を検知するように構成してもよい。
【００１７】
制御部７は、表示部３２及びカメラ５の動作を制御する。制御部７には、振動検知センサ６からの検知信号が入力される。制御部７は、図５に示すように、起動部７１と、表示制御部７２と、を有する。
【００１８】
起動部７１は、振動検知センサ６が、ユーザーによる第１入力動作と第２入力動作とを検知した場合、カメラ５及び表示部３２の少なくとも何れかを起動する。ユーザーによる第１入力動作と第２入力動作とは、例えば、所定時間内に連続的に行われる動作である。第１入力動作と第２入力動作とが連続的に行われる動作は、洗面化粧台付近で実行される通常の動作では行われ難い動作であって、ユーザーにより意図的に行われる動作である。第１入力動作と第２入力動作とが連続的に行われる動作は、難しくない動作であることが好ましい。これにより、カメラ５や表示部３２の誤操作を防止しつつ、簡単な操作で、カメラ５や表示部３２を意図的に起動させることができる。
【００１９】
本実施形態においては、第１入力動作及び第２入力動作は何れも、洗面化粧台１を少なくとも１回、叩く動作であり、より具体的にはミラー部３１を１回、叩く動作である。第１入力動作と第２入力動作との間隔は、所定の時間が設定される。第１入力動作及び第２入力動作を連続的に実施する動作は、ノックである。このため、第１入力動作を実行し、その後、所定時間以内に第２入力動作を実行する動作は、単なるノックであると、ユーザーに認識される。起動部７１は、ノックが行われた場合に、カメラ５及び表示部３２の少なくとも何れかを起動する。
【００２０】
表示制御部７２は、カメラ５による撮像結果に基づいた撮像情報を表示部３２に表示するように制御する。
【００２１】
以上の構成を備える本実施形態の洗面化粧台１によれば、以下の効果が奏される。本実施形態の洗面化粧台１は、カメラ５と、カメラ５による撮像結果に基づいた撮像情報を表示する表示部３２と、ユーザーによる第１入力動作と第２入力動作とを検知した場合、カメラ５及び表示部３２の少なくとも何れかを起動する起動部７１と、を備える。これにより、カメラ５や表示部３２の誤操作を防止しつつ、ユーザーは、簡単な操作で、カメラ５や表示部３２を意図的に起動させることができる。
【００２２】
第１入力動作と第２入力動作とが連続的に行われる動作は、通常の動作では行われ難い動作であって、意図的に行われる動作である。これにより、誤操作を防止しつつ、一層簡単な操作で、カメラ５や表示部３２を意図的に起動させることができる。
【００２３】
次に、図６を参照して、第２実施形態について説明する。図６は、第２実施形態の化粧台本体２Ａを示す斜視図である。第２実施形態の説明において、第１実施形態と共通する構成については同一の符号を用いる。特に説明しない点に構成については、第１実施形態の構成と同様である。
【００２４】
第２実施形態においては、第１実施形態と比べて、振動検知センサ６を備えない点、スイッチ８を備える点、第１入力動作及び第２入力動作の内容が主に異なる。
【００２５】
第２実施形態の化粧台本体２Ａは、ディスプレイモニタ機能付ミラー３の前面の下方側の左右方向の一方側に、スイッチ８を備える。
【００２６】
ここで、第２実施形態においても、第１実施形態と同様に、第１入力動作と第２入力動作とが連続的に行われる動作は、通常の動作では行われ難い動作であって、ユーザーにより意図的に行われる動作である。第１入力動作と第２入力動作とが連続的に行われる動作は、難しくない動作であることが好ましい。第２実施形態においては、第１入力動作は、スイッチ８を押す動作であり、第２入力動作は、スイッチ８を押した状態を所定時間保持する動作である。起動部７１は、スイッチ８を長押しする動作が行われた場合に、カメラ５及び表示部３２の少なくとも何れかを起動する。これにより、カメラ５や表示部３２の誤操作を防止しつつ、ユーザーは、簡単な操作で、カメラ５や表示部３２を意図的に起動させることができる。
【００２７】
なお、本発明は上記実施形態に限定されるものではなく、本発明の目的を達成できる範囲での変形、改良等は本発明に含まれる。
例えば、上記実施形態では、化粧台用表示装置を、洗面化粧台に適用した例について説明したが、これに限定されない。化粧台用表示装置を、洗面ボウルや水栓等の洗面設備が設けられていない化粧台に適用してもよい。
【００２８】
上記実施形態では、洗面化粧台１を、１つのミラー部３１を備えた１面鏡で構成したが、これに限定されず、３つのミラー部を備えた３面鏡で構成してもよい。
【００２９】
上記実施形態では、ディスプレイモニタ機能付ミラー３を、枠状筐体４に対して開閉不能に構成したが、これに限定されず、枠状筐体４に対して開閉可能に構成してもよい。この場合、洗面化粧台１は、１つのミラーを備えた１面鏡でもよく、３つのミラーを備えた３面鏡でもよい。
【００３０】
上記実施形態では、起動部７１は、第１入力動作及び第２入力動作を検知した場合にカメラ５及び表示部３２の両方を起動したが、これに限定されない。起動部７１は、カメラ５及び表示部３２のいずれか一方を起動してもよい。
【００３１】
上記実施形態では、起動部７１は、第１入力動作及び第２入力動作の２つの入力動作を検知した場合に起動したが、これに限定されず、３つ以上の入力動作を検知した場合に起動してもよい。
【符号の説明】
【００３２】
１  洗面化粧台（化粧台用表示装置、化粧台）
５  カメラ
３１  ミラー部
３２  表示部
７１  起動部
【図１】
2020154026.tif 000003
【図２】
2020154026.tif 000004
【図３】
2020154026.tif 000005
【図４】
2020154026.tif 000006
【図５】
2020154026.tif 000007
【図６】
2020154026.tif 000008